(57)【要約】【課題】ユーザの作業の内容に関する電子データだけでなく、実在する検索対象物の情報を効率よく検索することのできる情報検索システムを提供する。【解決手段】ユーザより検索用単語入力画面への複数の単語の入力を受付け、複数の単語のうち前記検索用単語入力画面により関連づけられた単語の組み合わせからなる検索キーワードを特定し、当該検索キーワードごとに検索対象物または検索対象データの検索処理を行う。そして、検索キーワードごとの検索処理の結果に応じて、少なくとも検索対象物のロケーション情報または検索対象データの通信ネットワーク内における情報格納位置のいずれか一方または両方を、検索キーワードに含まれる単語の関連ごとに検索結果として出力する。【選択図】図１
2007219888.tif 000002
【特許請求の範囲】
【請求項１】
検索対象物の存在位置を示すロケーション情報を少なくとも記憶し、当該記憶する情報の取得要求の受信に基づいて、その記憶する情報を要求元に送信する検索対象物装置と、検索対象データを記憶する検索対象データ記憶装置とが通信ネットワーク上に接続されており、前記検索対象物または前記検索対象データを検索する情報検索システムであって、
ユーザより複数の単語と、当該複数の単語それぞれの関連を示す構造情報との入力を受付ける検索指示受付手段と、
前記複数の単語のうち前記構造情報により関連づけられた単語の組み合わせからなる検索キーワードを特定し、当該検索キーワードごとに前記検索対象物または前記検索対象データの検索処理を行う検索処理手段と、
前記検索キーワードごとの検索処理の結果に応じて、少なくとも前記検索対象物のロケーション情報または前記検索対象データの通信ネットワーク内における情報格納位置のいずれか一方または両方を、前記検索キーワードに含まれる単語の関連ごとに検索結果として出力する検索結果出力手段と、
を備えることを特徴とする情報検索システム。
【請求項２】
前記検索結果の情報を、当該検索結果に含まれるロケーション情報または情報格納位置に格納する検索結果格納手段と、
を備えることを特徴とする請求項１に記載の情報検索システム。
【請求項３】
前記検索対象物装置は、前記検索対象物を示すキーワードと当該検索対象物の内容情報を記憶し、
前記検索結果出力手段は、前記検索対象物のロケーション情報とともに、前記キーワードや前記内容情報を出力する
ことを特徴とする請求項１または請求項２に記載の情報検索システム。
【請求項４】
前記検索対象物は紙文書であることを特徴とする請求項１から請求項３に記載の情報検索システム。
【請求項５】
前記検索対象物装置はＲＦＩＤ（Radio Frequency Identification）タグであり、無線通信を用いて記憶する情報を要求元に送信する
ことを特徴とする請求項１から請求項４のいずれかに記載の情報検索システム。
【請求項６】
前記通信ネットワークに接続された端末またはサーバのいずれかが、前記検索指示受付手段、前記検索処理手段、前記検索結果出力手段を備える
ことを特徴とする請求項１から請求項５のいずれかに記載の情報検索システム。
【請求項７】
検索対象物の存在位置を示すロケーション情報を少なくとも記憶し、当該記憶する情報の取得要求の受信に基づいて、その記憶する情報を要求元に送信する検索対象物装置と、検索対象データを記憶する検索対象データ記憶装置とが通信ネットワーク上に接続されており、前記検索対象物または前記検索対象データを検索する情報検索システムにおける情報検索方法であって、
ユーザより複数の単語と、当該複数の単語それぞれの関連を示す構造情報との入力を受付ける検索指示受付処理と、
前記複数の単語のうち前記構造情報により関連づけられた単語の組み合わせからなる検索キーワードを特定し、当該検索キーワードごとに前記検索対象物または前記検索対象データの検索処理を行う検索処理と、
前記検索キーワードごとの検索処理の結果に応じて、少なくとも前記検索対象物のロケーション情報または前記検索対象データの通信ネットワーク内における情報格納位置のいずれか一方または両方を、前記検索キーワードに含まれる単語の関連ごとに検索結果として出力する検索結果出力処理と、
を備えることを特徴とする情報検索方法。
【発明の詳細な説明】
【技術分野】
【０００１】
本発明は、通信ネットワークに接続された装置の記憶する情報を検索する情報検索システムおよび情報検索方法に関する。
【背景技術】
【０００２】
従来、インターネットに接続されたサーバ等の保持する電子文書などの大量の情報のうち、ユーザ所望の情報についての検索結果がユーザの様々な作業に利用されている。そして、このような検索結果の情報を、ユーザの意図した形に整理して提示できる情報提供装置が公開されている（特許文献１参照）。
【特許文献１】特開平１１−１３４３６１号公報
【発明の開示】
【発明が解決しようとする課題】
【０００３】
ところで、オフィス内やモバイル環境における協調作業支援として、ユーザの作業の内容に応じた情報の効率的な検索を行う場合、電子文書などの電子データと共に、紙文書などの実在する検索対象物の検索が容易にできることが望まれている。
【０００４】
そこでこの発明は、ユーザの作業の内容に関する電子データだけでなく、実在する検索対象物の情報を効率よく検索することのできる情報検索システムおよび情報検索方法を提供することを目的としている。
【課題を解決するための手段】
【０００５】
上記目的を達成するために、本発明は、検索対象物の存在位置を示すロケーション情報を少なくとも記憶し、当該記憶する情報の取得要求の受信に基づいて、その記憶する情報を要求元に送信する検索対象物装置と、検索対象データを記憶する検索対象データ記憶装置とが通信ネットワーク上に接続されており、前記検索対象物または前記検索対象データを検索する情報検索システムであって、ユーザより複数の単語と、当該複数の単語それぞれの関連を示す構造情報との入力を受付ける検索指示受付手段と、前記複数の単語のうち前記構造情報により関連づけられた単語の組み合わせからなる検索キーワードを特定し、当該検索キーワードごとに前記検索対象物または前記検索対象データの検索処理を行う検索処理手段と、前記検索キーワードごとの検索処理の結果に応じて、少なくとも前記検索対象物のロケーション情報または前記検索対象データの通信ネットワーク内における情報格納位置のいずれか一方または両方を、前記検索キーワードに含まれる単語の関連ごとに検索結果として出力する検索結果出力手段と、を備えることを特徴とする情報検索システムである。
【０００６】
また本発明は、前記検索結果の情報を、当該検索結果に含まれるロケーション情報または情報格納位置に格納する検索結果格納手段と、を備えることを特徴とする。
【０００７】
また本発明は、前記検索対象物装置は、前記検索対象物を示すキーワードと当該検索対象物の内容情報を記憶し、前記検索結果出力手段は、前記検索対象物のロケーション情報とともに、前記キーワードや前記内容情報を出力することを特徴とする。
【０００８】
また本発明は、前記検索対象物は紙文書であることを特徴とする。
【０００９】
また本発明は、前記検索対象物装置はＲＦＩＤ（Radio Frequency Identification）タグであり、無線通信を用いて記憶する情報を要求元に送信することを特徴とする。
【００１０】
また本発明は、前記通信ネットワークに接続された端末またはサーバのいずれかが、前記検索指示受付手段、前記検索処理手段、前記検索結果出力手段を備えることを特徴とする。
【００１１】
また本発明は、検索対象物の存在位置を示すロケーション情報を少なくとも記憶し、当該記憶する情報の取得要求の受信に基づいて、その記憶する情報を要求元に送信する検索対象物装置と、検索対象データを記憶する検索対象データ記憶装置とが通信ネットワーク上に接続されており、前記検索対象物または前記検索対象データを検索する情報検索システムにおける情報検索方法であって、ユーザより複数の単語と、当該複数の単語それぞれの関連を示す構造情報との入力を受付ける検索指示受付処理と、前記複数の単語のうち前記構造情報により関連づけられた単語の組み合わせからなる検索キーワードを特定し、当該検索キーワードごとに前記検索対象物または前記検索対象データの検索処理を行う検索処理と、前記検索キーワードごとの検索処理の結果に応じて、少なくとも前記検索対象物のロケーション情報または前記検索対象データの通信ネットワーク内における情報格納位置のいずれか一方または両方を、前記検索キーワードに含まれる単語の関連ごとに検索結果として出力する検索結果出力処理と、を備えることを特徴とする情報検索方法である。
【発明の効果】
【００１２】
本発明によれば、ユーザは通信ネットワークに接続されたサーバの記憶する電子データだけでなく、実在する紙文書などの検索対象物の情報を検索することができる。これにより、作業を行うにあたり必要な情報を効率よく保存して、それを他のユーザの検索処理にも利用できるので、作業知識の共有の度合を向上させることができる。
【発明を実施するための最良の形態】
【００１３】
以下、本発明の一実施形態による情報検索システムを図面を参照して説明する。図１は同実施形態による情報検索システムのシステム概要を示す図である。この図において、符号１はＰＤＡ（Personal Digital Assistant）などの携帯端末、２はＰＣ（Personal Computer）などの端末である。また３はサーバ、４は紙文書や文書ファイルなどに添付されたＲＦＩＤタグ、５はＲＦＩＤタグと無線により情報を送受信する無線基地局装置である。そして携帯端末１、端末２、サーバ３、無線基地局装置５は、通信ネットワークに接続されている。なお携帯端末１、端末２、サーバ３、無線基地局装置５は、説明の便宜上１つずつを示しているが、実際には複数存在する。また携帯端末１と端末２は同等の機能を有しているものとする。
【００１４】
図２は携帯端末、端末、サーバの各機能ブロックを示す図である。
この図が示すように携帯端末１や端末２は通信ネットワークを介して他の装置と情報を送受信する通信処理部１１と、端末内の各処理部を制御する制御部１２と、ユーザからの検索指示を受付ける検索指示受付部１３と、各種情報を記憶する記憶部１４と、検索処理を行う検索処理部１５と、検索結果の出力を行う検索結果出力部１６と、ＲＦＩＤタグ４の記憶する情報の読み取り処理と、ＲＦＩＤタグ４への情報の書き込み処理を行うリーダライタ部１７を備えている。またサーバ３は各端末や他のサーバと情報の送受信を行う通信処理部３１、サーバ３内の各処理部を制御する制御部３２、検索結果のデータを蓄積するデータ蓄積部３３、各種情報を記憶するデータベース３４を備えている。
【００１５】
そして情報検索システムでは、通信ネットワークに接続されたウェブサーバや各種端末などの記憶する電子データと、紙文書などの実在する検索対象物に添付されたＲＦＩＤタグ４の記憶する当該検索対象物に関する情報との中から、ユーザの入力した単語に基づいて検索を行う。これにより、ユーザの作業の内容に関する電子データだけでなく、実在する検索対象物の情報を効率よく検索する処理を行う。
【００１６】
図３はＲＦＩＤタグの記憶するデータを示す図である。
この図が示すようにＲＦＩＤタグ４はキーワード、ロケーション情報、検索対象物の内容などをタグＩＤに対応付けて記憶している。キーワードは例えば、ＲＦＩＤタグ４の添付されている検索対象物を表す単語などであり、例えば紙文書であれば、文書の題名や作成者などの情報である。またロケーション情報はＲＦＩＤタグ４が添付されている検索対象物の存在位置を示す情報であり、例えば、検索対象物が紙文書であれば、書類棚の名称や引出しの番号などである。また検索対象物の内容は、例えば検索対象物が紙文書であればその文書の内容をデータ化した文書データなどである。
【００１７】
図４はユーザが検索指示を行う際に用いる検索用単語入力画面を示す第１の図である。
この図が示すように、検索用単語入力画面Ａはマトリクス構造となっており、マトリクス構造の最上行と最左列に検索用の単語を入力する画面である。ｎ行ｍ列の欄（ｎ≧２，ｍ≧２）には検索結果が表示される。ユーザはこのマトリクス構造の検索用単語入力画面Ａに単語を入力する際には、最上行と最左列にそれぞれ検索に関連する単語を入力する。そしてマトリクス構造の検索用単語入力画面Ａを用いて検索指示を行った場合には、最上行と最左列の単語より、マトリクス構造に基づく各単語の組み合わせからなる検索キーワードが特定され、この検索キーワードに基づいて、検索処理が行われる。本実施形態においては、（Ａ研究室，ソフトウェア言語）、（Ａ研究室，画像処理）、（Ａ研究室，文書管理ＤＢ）、（Ｂ研究室，ソフトウェア言語）・・・というように、マトリックスの最上行と最左列に入力した各単語における、行と列１つずつの単語の組み合わせごとに検索キーワードを作成する。
【００１８】
なお、検索用単語入力画面Ａは図示した形態以外にも、より多くの行や列が存在するマトリクス構造であってもよい。また、検索キーワードを特定する処理は、上述の処理以外であっても、ユーザにより検索用として入力された複数の単語のうちマトリクス構造により関連づけられた単語の組み合わせであれば、どのような方法であってもよい。
【００１９】
図５は検索用単語入力画面Ａの検索結果後の画面を示す図である。
この図が示すように、ユーザが検索用単語入力画面Ａにおいて単語を入力し、検索開始を指示すると、検索処理が行われて、各検索キーワードに対する検索結果が当該検索キーワードに含まれる単語の関連ごとに出力される。例えば、（Ａ研究室，ソフトウェア言語）の検索キーワードの検索結果がｈｔｔｐ：／／ｘｘｘｘ．ａｃ．ｊｐ／ａｂｃｄとなり、検索用単語入力画面Ａのマトリクス構造におけるＡ研究室の列とソフトウェア言語の行が交わる検索結果の出力欄に表示される。また検索用単語入力画面Ａにおいてユーザは、入力した単語に関連する単語を検索結果に応じて変更できるような機能を備えている。例えば検索指示受付部１３は入力された“ソフトウェア言語”という単語に関連する関連語を記憶部などから検索し、ユーザによる表示指示の操作に基づいて一覧として表示する。これにより、“ソフトウェア言語”に関連する“Ｃ”、“Ｃ＋＋”、“ＦＯＲＴＲＡＮ”といった単語が表示される。ユーザは検索結果が出力された後に、さらに詳しく検索したい場合などに“ソフトウェア言語”に関連する単語を選択して、“ソフトウェア言語”からその単語に関連する関連語に変更し、再検索を行う。
【００２０】
図６はユーザが検索指示を行う際に用いる検索用単語入力画面を示す第２の図である。
この図が示すように、検索用単語入力画面Ｂはツリー構造＋フロー構造となっており、各ツリー構造の根ノードと当該根ノード直下のノードとに検索用の単語を入力する画面である。末端ノードには検索結果が表示される。ユーザはこの検索用単語入力画面Ｂにおいて、各ツリー構造内の入力欄に関連する単語を入力する。また各ツリー構造は、矢印（→）により接続される様子を示しているが、これは、ユーザの作業遂行の順序を示している。ユーザは自身の作業遂行に合わせてその都度必要な情報を検索するために、一連の作業を複数の作業単位に分けて、それぞれの作業単位における検索の為の単語を各ツリー構造の欄に入力する。そして、各ツリー構造における根ノードと、当該根ノード直下のノードとの組み合わせからなる検索キーワードが特定され、この検索キーワードに基づいて、検索処理が行われる。本実施形態においては、（Ｘ研究室，画像処理の基礎）、（Ｘ研究室，関連文書の検索収集）、（Ｙ研究室，画像処理の応用）、（Ｚ研究室，画像処理のビジネスシステム）というような複数の検索キーワードが特定され、各検索キーワードに基づいて、検索処理が行われる。
【００２１】
なお、検索用単語入力画面Ｂは図示した形態以外にも、より多くのツリー構造がフロー構造により連結されたり、また、より多くの根ノード配下のノードが単語の入力欄となるようにしてもよい。また検索キーワードを特定する処理は、上述の処理以外であっても、ユーザにより検索用として入力された複数の単語のうちツリー構造により関連づけられた単語の組み合わせであれば、どのような方法であってもよい。またマトリクス構造や、ツリー構造＋フロー構造以外でも、ある構造において入力された複数の単語のうち、それら単語が構造によりどのように関連づけられるかの規定や、その構造を用いた検索キーワードの特定方法が規定されていれば、どのような構造であってもよい。
【００２２】
図７は検索用単語入力画面Ｂの検索結果後の画面を示す図である。
この図が示すように、ユーザが検索用単語入力画面Ｂにおいて単語を入力し、検索開始を指示すると、検索処理が行われて、各検索キーワードに対する検索結果が当該検索キーワードに含まれる単語の関連ごとに出力される。例えば、（Ｘ研究室，画像処理の基礎）の検索キーワードの検索結果がｈｔｔｐ：／／ｍｍｍ．ａｃ．ｊｐ／ａｂｃｄとなり、検索用単語入力画面Ｂのツリー構造における“Ｘ研究室”を根ノードとし“画像処理の基礎”を節ノードとする末端ノードの出力欄に表示される。また検索用単語入力画面Ｂにおいてユーザは、入力した単語に関連する単語を検索結果に応じて変更できるような機能を備えている。例えば検索指示受付部１３は入力された“画像処理の基礎”という単語に関連する関連語を記憶部などから検索し、ユーザによる表示指示の操作に基づいて一覧として表示する。これにより、“画像処理の基礎”に関連する“ディジタル画像処理”、“画像解析”、“画像圧縮”といった単語が表示される。ユーザは検索結果が出力された後に、さらに詳しく検索したい場合などに“画像処理の基礎”に関連する単語を選択して、“画像処理の基礎”からその単語に関連する関連語に変更し、再検索を行う。
【００２３】
図８は情報検索システムの処理フローを示す図である。
次に図８を用いて情報検索システムにおける処理フローを順を追って説明する。
ユーザが高校生であり、当該高校生が進路を決めるにあたり、大学の研究に関心、興味を抱いているとする。ユーザは高校の教室や図書館などにおいて、自分の関心項目を挙げ、関連資料を検索して整理しようとしている。本実施形態はユーザによる進路選択という作業における情報検索システムの処理である。まずユーザは、端末２に検索用画面を表示させ、当該画面において検索のための構造をマトリックス構造と指定する（ステップＳ１）。すると検索用単語入力画面Ａが端末２の画面に表示される。この検索用画面、検索用単語入力画面Ａの表示プログラムは予め端末２の記憶部１４に格納されており、制御部１２の処理により当該プログラムが実行されて、表示される。
【００２４】
ユーザは検索用単語入力画面Ａにおいて、興味のある研究室の名称“Ａ研究室”、“Ｂ研究室”、“Ｃ研究室”の各単語を入力し、また各研究室で行っている研究テーマ“ソフトウェア言語”、“画像処理”、“文書管理ＤＢ”を入力する（ステップＳ２）。そしてユーザはマウスやキーボードを用いて端末２に検索開始の入力を行い、当該入力を検索指示受付部１３が受付ける（ステップＳ３）。すると端末２の検索指示受付部１３は検索用単語入力画面Ａのマトリクス構造に基づいて、入力された複数の単語から検索キーワードを特定する（ステップＳ４）。この処理は予め検索用単語入力画面Ａを用いた検索処理のプログラムにおいて規定されている。
【００２５】
そして検索キーワードは（Ａ研究室，ソフトウェア言語）、（Ａ研究室，画像処理）、（Ａ研究室，文書管理ＤＢ）、（Ｂ研究室，ソフトウェア言語）、（Ｂ研究室，画像処理）、（Ｂ研究室，文書管理ＤＢ）、（Ｃ研究室，ソフトウェア言語）、（Ｃ研究室，画像処理）、（Ｃ研究室，文書管理ＤＢ）の９つとなり、端末２の検索処理部１５が９回の検索処理を繰り返す（ステップＳ５）。なお検索処理は、従来検索エンジンなどで行われている公知の技術でよく、検索の為のデータベース情報は記憶部１４に格納されているものとする。例えば検索キーワードに格納されている単語を含み、当該単語の重要度が高い電子データが検索される。
【００２６】
また検索処理においては、ＲＦＩＤタグ４からはタグＩＤ、キーワード、ロケーション情報、内容などが無線局装置５または端末２に備えられているリーダライタ１７を介して端末２に蓄積される。また通信ネットワークに接続されて電子データを格納した各種サーバなどからはＵＲＬやその電子データの内容が通信ネットワーク経由で端末２に蓄積される。そして検索結果出力部１６が、当該蓄積された情報と、検索キーワードとを比較し、検索結果を出力する（ステップＳ６）。ここで検索結果出力部１６は、検索結果の情報がＲＦＩＤタグ４に格納されている情報であるかどうかをタグＩＤによって検出する。また検出結果出力部１６は検索結果にＵＲＬやディレクトリパスなどが含まれる場合にはその検索結果の情報が通信ネットワークに接続されたウェブサーバなどで記憶されている情報であると検出する。そして検索結果出力部１６は、検索結果のうちロケーション情報やＵＲＬやディレクトリパスなどの、検索対象物の存在位置を示す情報や検索対象データの通信ネットワーク内における情報格納位置を、検索結果を導いた検索キーワード内の各単語の関連ごとに、検索用単語入力画面Ａへ出力する。
【００２７】
また、ユーザはより詳細に検索したい場合には、検索用単語入力画面Ａに入力した単語をその関連単語に変換して再検索を指示する。この際の検索の処理は上記同様である。またユーザは検索結果をサーバ３へ保存することもできる。この場合、端末２を用いて、サーバ３へアクセスし、保存のための文書データの表題の入力と、保存指示を行う。すると端末２の制御部１２が検索用単語入力画面Ａを文書データとして変換し、通信処理部１１を介してサーバ３へ送信する。サーバ３の制御部３２は、データ蓄積部３３にユーザにより入力された表題で受信した文書データを格納する。これにより、ユーザの検索結果が保存され、後に他のユーザが同様の作業を行う際の資料となる。またユーザが検索結果において出力されたＵＲＬやロケーション情報をマウス等を用いて指定すると、端末２の検索結果出力部１６は電子データや紙文書の内容の情報をモニタなどに表示する。
【００２８】
またサーバ３へ検索結果の文書データを登録するのと同様に、リーダライタ１７や無線基地局装置５を介してユーザ所望の紙文書のＲＦＩＤタグ４に登録するようにしてもよい。この場合、端末２の制御部１２が検索用単語入力画面Ａを文書データとして変換し、タグＩＤと共にＲＦＩＤタグ４へ送信する。するとＲＦＩＤタグ４ではタグＩＤが自身で記憶するタグＩＤである場合に、送信された文書データを記憶部に格納する。これにより、検索結果の文書データが格納されたＲＦＩＤタグ４により、例えば、紙文書を閲覧した他のユーザがＲＦＩＤ４に格納されている情報を閲覧することにより、事前に検索された当該紙文書に関連する情報を検索することなく利用することができる。従って、同様の検索処理が繰り返されることが減るので、作業効率を上げることができる。またユーザは検索結果の表示された検索用単語入力画面Ａを印刷により出力するようにしてもよい。
【００２９】
以上、本実施形態による情報検索システムについて説明したが、これによれば、ユーザは通信ネットワークに接続されたサーバの記憶する電子データだけでなく、実在する紙文書などの検索対象物の情報を検索することができる。またこれにより、作業を行うにあたり必要な情報を効率よく保存して、それを他のユーザの検索処理にも利用できるので、作業知識の共有の度合を向上させることができる。
【００３０】
なお本実施形態においては、端末２において検索処理などを行っているが、携帯端末１で行うようにしてもよい。また上述した端末２の記憶部１４や検索処理部１５や検索結果出力部１６の機能をサーバ３に備え、端末２や携帯端末１からの指示に基づいて、サーバ３が検索処理と端末２や携帯端末１への検索結果の出力処理を行うようにしてもよい。また、上述の処理フローと同様に、検索用単語入力画面Ｂを用いて検索処理が行われるようにしてもよい。また他の検索用単語入力画面（図９、図１０など）の構造を用いて上記同様の検索処理を行うようにしてもよい。
【００３１】
上述の携帯端末、端末、サーバ、無線局装置それぞれは内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３２】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３３】
【図１】情報検索システムのシステム概要を示す図である。
【図２】携帯端末、端末、サーバの各機能ブロックを示す図である。
【図３】ＲＦＩＤタグの記憶するデータを示す図である。
【図４】検索用単語入力画面を示す第１の図である。
【図５】検索用単語入力画面Ａの検索結果後の画面を示す図である。
【図６】検索用単語入力画面を示す第２の図である。
【図７】検索用単語入力画面Ｂの検索結果後の画面を示す図である。
【図８】情報検索システムの処理フローを示す図である。
【図９】検索用単語入力画面を示す第３の図である。
【図１０】検索用単語入力画面を示す第４の図である。
【符号の説明】
【００３４】
１・・・携帯端末
２・・・端末
３・・・サーバ
４・・・ＲＦＩＤタグ
５・・・無線局装置
【図１】
2007219888.tif 000003
【図２】
2007219888.tif 000004
【図３】
2007219888.tif 000005
【図４】
2007219888.tif 000006
【図５】
2007219888.tif 000007
【図６】
2007219888.tif 000008
【図７】
2007219888.tif 000009
【図８】
2007219888.tif 000010
【図９】
2007219888.tif 000011
【図１０】
2007219888.tif 000012